(57)【要約】【課題】ディスク状記録媒体を覆う蓋体を二つの角度で保持すると共に、これらの角度から使用者が蓋体を回動させる際に使用者の手にクリック感を与えるようにしたディスク装置であって、高さ寸法の削減を図ることができるものを提供する。【解決手段】本発明の蓋体保持機構は、蓋体４が閉位置と開位置の間の所定位置にあるときには突起１６がレバー６の端部の一方の側面の斜辺１１に接した第１の状態にあると共にレバー６が蓋体４に対して閉方向の回動力を与えて蓋体４を所定位置に保持し、使用者が蓋体４を所定位置よりも開方向に回動させる際には突起１６がレバー６の端部の他方の側面に接した第２の状態に切り替わると共にレバー６が蓋体４に対して開方向の回動力を与えて蓋体４を開位置に保持するように構成されている。【選択図】図４
2007157299.tif 000002
【特許請求の範囲】
【請求項１】
シャーシと、
ディスク状記録媒体のセンターホールに着脱可能に嵌合すると共に前記ディスク状記録媒体を回転させるスピンドルと、
前記シャーシに回動可能に枢着され、前記ディスク状記録媒体を覆う閉位置と前記ディスク状記録媒体を前記スピンドルに着脱可能な開位置との間を回動可能な蓋体と、
前記蓋体を前記閉位置と前記開位置の間の所定位置及び前記開位置で保持すると共に、使用者が前記蓋体を前記所定位置から開方向に回動させる際及び前記開位置から閉方向に回動させる際に使用者の手にクリック感を与える蓋体保持機構と、を備え、
前記蓋体保持機構は、
前記スピンドルに装着された前記ディスク状記録媒体の記録面と直交する回転軸を介して前記シャーシに回動可能に軸支され、前記蓋体の回動に連動して回動するように一端が前記蓋体に接続されたレバーと、
前記回転軸に対して径方向に接離するように前記シャーシにスライド可能に取り付けられたスライド部材と、
前記スライド部材のスライドに伴って前記レバーの他端の一方の側面に接した第１の状態と前記レバーの他端の他方の側面に接した第２の状態とを選択的にとることができるように前記スライド部材上に設けられた突起と、
前記スライド部材を前記回転軸に向けて付勢すると共に前記第１の状態と前記第２の状態とを切り替えることができるように前記スライド部材のスライドを許容するスライド部材付勢手段と、
前記閉位置にある前記蓋体を開方向に付勢する蓋体付勢手段と、を備え、
前記蓋体が前記所定位置にあるときには前記突起が前記第１の状態にあると共に前記レバーが前記蓋体に対して閉方向の回動力を与えて前記蓋体を保持し、使用者が前記蓋体を前記所定位置よりも開方向に回動させる際には前記突起が前記第２の状態に切り替わると共に前記レバーが前記蓋体に対して開方向の回動力を与えて前記蓋体を前記開位置に保持するように構成したことを特徴とするディスク装置。
【請求項２】
シャーシと、
ディスク状記録媒体のセンターホールに着脱可能に嵌合すると共に前記ディスク状記録媒体を回転させるスピンドルと、
前記シャーシに回動可能に枢着され、前記ディスク状記録媒体を覆う閉位置と前記ディスク状記録媒体を前記スピンドルに着脱可能な開位置との間を回動可能な蓋体と、
前記蓋体を前記閉位置と前記開位置の間の所定位置及び前記開位置で保持すると共に、使用者が前記蓋体を前記所定位置から開方向に回動させる際及び前記開位置から閉方向に回動させる際に使用者の手にクリック感を与える蓋体保持機構と、を備え、
前記蓋体保持機構は、
前記スピンドルに装着された前記ディスク状記録媒体の記録面と直交する回転軸を介して前記シャーシに回動可能に軸支され、前記蓋体の回動に連動して回動するように一端が前記蓋体に接続されると共に前記閉位置にある前記蓋体を開方向に付勢するレバーと、
前記回転軸に対して径方向に接離するように前記シャーシにスライド可能に取り付けられたスライド部材と、
前記スライド部材のスライドに伴って前記レバーの他端の一方の側面に接した第１の状態と前記レバーの他端の他方の側面に接した第２の状態とを選択的にとることができるように前記スライド部材上に設けられた突起と、
前記スライド部材を前記回転軸に向けて付勢すると共に前記第１の状態と前記第２の状態とを切り替えることができるように前記スライド部材のスライドを許容するスライド部材付勢手段と、を備え
前記蓋体が前記所定位置にあるときには前記突起が前記第１の状態にあると共に前記レバーが前記蓋体に対して閉方向の回動力を与えて前記蓋体を保持し、使用者が前記蓋体を前記所定位置よりも開方向に回動させる際には前記突起が前記第２の状態に切り替わると共に前記レバーが前記蓋体に対して開方向の回動力を与えて前記蓋体を前記開位置に保持するように構成したことを特徴とするディスク装置。
【発明の詳細な説明】
【技術分野】
【０００１】
本発明は、光ディスク等のディスク状記録媒体に対して情報の記録及び／又は再生を行うディスク装置に関し、より詳しくは、ポップアップタイプのディスクローディング機構を備えたディスク装置に関する。
【背景技術】
【０００２】
図１１乃至図１３は、従来のこの種のディスク装置のディスクローディング機構の一例を示す斜視図である。
【０００３】
図１１に示すように、このディスク装置は、シャーシ１０１と、ディスク状記録媒体（図示せず）のセンターホールに着脱可能に嵌合すると共に前記ディスク状記録媒体を回転させるスピンドル（図示せず）と、このスピンドルに装着されたディスク状記録媒体と平行な一対の支軸１０２を介してシャーシ１０１に枢着された蓋体１０３とを備えている。
【０００４】
図１２は蓋体１０３がディスク状記録媒体を覆う閉位置にある状態であり、図示しないロック機構により蓋体１０３がロックされている。このロック機構を解除すると、板バネ１０９によって蓋体１０３が開方向に回動し、図１３に示すように、閉位置から所定角度回動した所定位置で保持されるように構成されている。
【０００５】
この状態から使用者が蓋体１０３を開方向に回動させ、図１１に示すように、略９０°開いた位置（開位置）とすると、蓋体１０３がこの状態で保持され、ディスク状記録媒体を前記スピンドルに着脱可能となる。
【０００６】
このように、ディスク状記録媒体を覆う蓋体１０３は、前記ロック機構が外れた状態で、前記所定位置と開位置で保持される。このようにすることで、蓋体１０３を一度に略９０°開く場合に比べて、製品の品位を高めることができると共に使い易さが向上する。
【０００７】
蓋体１０３を前記所定位置と開位置で保持する蓋体保持機構の詳細を以下に説明する。
【０００８】
図１４は蓋体１０３が前記所定位置で保持された状態を示しており、図１５はその分解斜視図である。また、図１６は蓋体１０３が開位置で保持された状態を示しており、図１７はその分解斜視図である。
【０００９】
すなわち、図１４に示すように、蓋体１０３の後部の一方の側には内方に向けて直角に折曲された扇形の折曲部１０４が設けられており、この折曲部１０４は外周部に沿って形成された円弧状の長穴１０５を有している。
【００１０】
一方、シャーシ１０１には、この折曲部１０４の外側面と対向する扇形の折曲部１０６が設けられており、図１５に示すように、この折曲部１０６の内側面には扇形のバネ部材１０７が設けられている。
【００１１】
このバネ部材１０７は弾性変形可能な板材で形成され、内方に向けて突出した円弧状の凸部１０８を有しており、この凸部１０８は、折曲部１０４の長穴１０５に対して長手方向に摺動可能に係合している。
【００１２】
図１８に示すように、蓋体１０３は、閉位置において、シャーシ１０１に設けられた板バネ１０９で開方向に付勢されており、蓋体１０３をロックしているロック機構を解除すると蓋体１０３が開方向に回動し、図１４に示すように、長穴１０５の一端が凸部１０８の一方の端面に当接すると蓋体１０３が停止し、図１９に示すように、所定角度開いた状態で保持される。
【００１３】
このような状態の蓋体１０３に対して開方向に回動する力を与えると、バネ部材１０７が外側に弾性変形して折曲部１０４の端部１１０が凸部１０８に乗り上げると共に蓋体１０３が開方向に回動する。なお、折曲部１０４の端部１１０が凸部１０８に乗り上げる際及び端部１１０が凸部１０８を乗り越える際には、使用者の手にクリック感が与えられる。
【００１４】
折曲部１０４の端部１１０が完全に凸部１０８を乗り越えると、図１６に示すように、端部１１０が凸部１０８の他方の端面に係合して蓋体１０３が開位置に保持される。
【００１５】
このような状態の蓋体１０３に対して閉方向に回動する力を与えると、バネ部材１０７が外側に弾性変形して折曲部１０４の端部１１０が凸部１０８に乗り上げると共に蓋体１０３が閉方向に回動する。なお、折曲部１０４の端部１１０が凸部１０８に乗り上げる際には、使用者の手にクリック感が与えられる。
【特許文献１】特開平１１−１８６７４７号
【発明の開示】
【発明が解決しようとする課題】
【００１６】
上記従来のディスク装置では、蓋体１０３を二つの角度で保持すると共に、これらの角度から使用者が蓋体１０３を回動させる際に使用者の手にクリック感を与えるようにするために、蓋体１０３の回動軸に対して垂直な面にバネ部材１０７を設けている。
【００１７】
そのため、装置の高さ方向の寸法Ｈ１（図１２参照）が大きくなるため、装置の小型化が難しいという問題が有った。
【００１８】
本発明は上記問題点に鑑みてなされたものであり、その目的は、ディスク状記録媒体を覆う蓋体を二つの角度で保持すると共に、これらの角度から使用者が蓋体を回動させる際に使用者の手にクリック感を与えるようにしたディスク装置であって、高さ寸法の削減を図ることができるものを提供することにある。
【課題を解決するための手段】
【００１９】
上記目的を達成するために、第１の発明のディスク装置は、
シャーシと、
ディスク状記録媒体のセンターホールに着脱可能に嵌合すると共に前記ディスク状記録媒体を回転させるスピンドルと、
前記シャーシに回動可能に枢着され、前記ディスク状記録媒体を覆う閉位置と前記ディスク状記録媒体を前記スピンドルに着脱可能な開位置との間を回動可能な蓋体と、
前記蓋体を前記閉位置と前記開位置の間の所定位置及び前記開位置で保持すると共に、使用者が前記蓋体を前記所定位置から開方向に回動させる際及び前記開位置から閉方向に回動させる際に使用者の手にクリック感を与える蓋体保持機構と、を備え、
前記蓋体保持機構は、
前記スピンドルに装着された前記ディスク状記録媒体の記録面と直交する回転軸を介して前記シャーシに回動可能に軸支され、前記蓋体の回動に連動して回動するように一端が前記蓋体に接続されたレバーと、
前記回転軸に対して径方向に接離するように前記シャーシにスライド可能に取り付けられたスライド部材と、
前記スライド部材のスライドに伴って前記レバーの他端の一方の側面に接した第１の状態と前記レバーの他端の他方の側面に接した第２の状態とを選択的にとることができるように前記スライド部材上に設けられた突起と、
前記スライド部材を前記回転軸に向けて付勢すると共に前記第１の状態と前記第２の状態とを切り替えることができるように前記スライド部材のスライドを許容するスライド部材付勢手段と、
前記閉位置にある前記蓋体を開方向に付勢する蓋体付勢手段と、を備え、
前記蓋体が前記所定位置にあるときには前記突起が前記第１の状態にあると共に前記レバーが前記蓋体に対して閉方向の回動力を与えて前記蓋体を保持し、使用者が前記蓋体を前記所定位置よりも開方向に回動させる際には前記突起が前記第２の状態に切り替わると共に前記レバーが前記蓋体に対して開方向の回動力を与えて前記蓋体を前記開位置に保持するように構成したことを特徴としている。  また、第２の発明のディスク装置は、
シャーシと、
ディスク状記録媒体のセンターホールに着脱可能に嵌合すると共に前記ディスク状記録媒体を回転させるスピンドルと、
前記シャーシに回動可能に枢着され、前記ディスク状記録媒体を覆う閉位置と前記ディスク状記録媒体を前記スピンドルに着脱可能な開位置との間を回動可能な蓋体と、
前記蓋体を前記閉位置と前記開位置の間の所定位置及び前記開位置で保持すると共に、使用者が前記蓋体を前記所定位置から開方向に回動させる際及び前記開位置から閉方向に回動させる際に使用者の手にクリック感を与える蓋体保持機構と、を備え、
前記蓋体保持機構は、
前記スピンドルに装着された前記ディスク状記録媒体の記録面と直交する回転軸を介して前記シャーシに回動可能に軸支され、前記蓋体の回動に連動して回動するように一端が前記蓋体に接続されると共に前記閉位置にある前記蓋体を開方向に付勢するレバーと、
前記回転軸に対して径方向に接離するように前記シャーシにスライド可能に取り付けられたスライド部材と、
前記スライド部材のスライドに伴って前記レバーの他端の一方の側面に接した第１の状態と前記レバーの他端の他方の側面に接した第２の状態とを選択的にとることができるように前記スライド部材上に設けられた突起と、
前記スライド部材を前記回転軸に向けて付勢すると共に前記第１の状態と前記第２の状態とを切り替えることができるように前記スライド部材のスライドを許容するスライド部材付勢手段と、を備え
前記蓋体が前記所定位置にあるときには前記突起が前記第１の状態にあると共に前記レバーが前記蓋体に対して閉方向の回動力を与えて前記蓋体を保持し、使用者が前記蓋体を前記所定位置よりも開方向に回動させる際には前記突起が前記第２の状態に切り替わると共に前記レバーが前記蓋体に対して開方向の回動力を与えて前記蓋体を前記開位置に保持するように構成したことを特徴と
【発明の効果】
【００２０】
本発明のディスク装置は、高さ方向の寸法を削減することができるため、小型化を図ることができる。
【発明を実施するための最良の形態】
【００２１】
以下、本発明の一実施形態を図面に基づいて説明する。図１乃至図３は本発明の一実施形態であるディスク装置のディスクローディング機構の斜視図である。
【００２２】
図１に示すように、このディスク装置は、シャーシ１と、ディスク状記録媒体ＤのセンターホールＤ１に着脱可能に嵌合すると共にディスク状記録媒体Ｄを回転させるスピンドル２と、このスピンドル２に装着されたディスク状記録媒体Ｄと平行な一対の支軸３を介してシャーシ１に枢着された蓋体４とを備えている。
【００２３】
図２は蓋体４がディスク状記録媒体Ｄを覆う閉位置にある状態であり、図示しないロック機構により蓋体４がロックされている。なお、ロック機構としては、周知の種々の構造のものを適用することができる。このロック機構を解除すると、後述するレバー６（図５参照）の弾性によって蓋体４が開方向に回動し、図３に示すように、閉位置から所定角度回動した所定位置で保持されるように構成されている。
【００２４】
この状態から使用者が蓋体４を開方向に回動させて、図１に示すように、略９０°開いた位置（開位置）とすると、蓋体４がこの状態で保持されてディスク状記録媒体Ｄのスピンドル２への着脱が容易となる。
【００２５】
このように、ディスク状記録媒体を覆う蓋体４は、前記ロック機構が外れた状態で、前記所定位置と開位置で保持される。このようにすることで、蓋体４を一度に略９０°開く場合に比べて、製品の品位を高めることができると共に使い易さが向上する。
【００２６】
蓋体４を前記所定位置と開位置で保持する蓋体保持機構の詳細を以下に説明する。図４は図１のディスク装置の後端側を裏面から見た斜視図である。
【００２７】
６はレバーであり、弾性を有する板材で形成され、略中央部でくの字形に折れ曲がっており、その折れ曲がり部分が回転軸７を介してシャーシ１に回転可能に軸支されている。なお、この回転軸７は、スピンドル２に装着されたディスク状記録媒体Ｄの記録面と直交している。
【００２８】
レバー６の回転軸７の一端側は第１のアーム部８、他端側は第２のアーム部９となっている。第１のアーム部８の先端は上向き（図４では下向き）に直角に折曲されており、上下に延びる長穴１０が形成されている。また、第２のアーム部９の端部における一方の側には斜辺１１が形成されており、端部が先端に向けて細くなると共にその先端はアール状に形成されている。
【００２９】
蓋体４は後端側の左右両端に内方に向けて直角に折曲された折曲部１２を有している。一方の折曲部１２には内方へ向けて直角に突出するピン１３がカシメ固定されており、このピン１３はレバー６の長穴１０に対して長手方向に摺動可能に係合している。
【００３０】
ピン１３は蓋体４をシャーシ１に回動可能に軸支させる支軸３に対して偏心するように配置されており、蓋体４が開方向に回動すると、レバー６は回転軸７を中心として図４の反時計まわり方向（矢印Ｐ）に回動する。
【００３１】
なお、蓋体４が閉位置にある状態においては、図５に示すようにピン１３が長穴１０の一端に突き当たって押圧するので、レバー６が弾性変形して蓋体４を開方向（矢印Ｇ方向）に付勢する状態になっており、蓋体４のロック機構を解除すると蓋体４が自動的に開方向に回動して、図６に示すように所定角度開いた状態で静止する。
【００３２】
また、図４に示すように、シャーシ１の裏面には、ピン１４を介してスライド部材１５がスライド可能に取り付けられている。このスライド部材１５は、回転軸７に対して径方向に接離するように（矢印Ａ方向）スライドする。
【００３３】
スライド部材１５上には円柱状の突起１６が設けられており、この突起１６の側面には、レバー１６の第２のアーム部９の先端に形成された斜辺１１が接している。
【００３４】
そして、回転軸７と突起１６の間にはコイルバネ１７が張装されており、スライド部材１５が回転軸７に向けて付勢されている。
【００３５】
上記のように構成されたディスク装置において、蓋体４を開く動作に伴う蓋体保持機構の作用を図７乃至図１０に基づいて説明する。
【００３６】
図７は蓋体４が閉位置にあってロックされた状態を示している。上述したように、使用者がディスク状記録媒体Ｄを着脱するためにロック機構を解除すると、レバー６の弾性によって蓋体４が開方向に回動し、図８に示すように、蓋体４が所定角度α開いた状態で静止保持される。なお、αは任意に設定することができる（例えば２０°）。
【００３７】
すなわち、レバー６の第２のアーム部９の斜辺１１が突起１６の側面に当接しており、コイルバネ１７によってスライド部材１５が図７の矢印Ｂ方向に付勢されているため、図８の状態ではレバー６は矢印Ｃ方向（蓋体４を閉じる方向）に付勢されており、この付勢力がレバー６の蓋体４を開方向に回動させようとする力と釣り合って蓋体４が保持された状態となっている。
【００３８】
そして、この状態から、使用者が蓋体４を開方向に回動させると、レバー６の斜辺１１によって突起１６が押されるため、スライド部材１５がコイルバネ１７の付勢力に抗して図８の矢印Ｄ方向にスライドする。このとき、レバー６の斜辺１１が突起１６を矢印Ｃ方向と反対の方向に押すため、蓋４を開くには所定の力が必要となる。
【００３９】
そして、蓋体４が略４５°開いた状態で、図９に示すように、レバー６の第２のアーム部９の先端が突起１６の側面に接した状態となる。この状態では、突起１６からレバー６に作用する力の方向（矢印Ｅ方向）は、スライド部材１５が回転軸７に向かう方向（図７の矢印Ｂ方向）と一致するため、レバー６を回転させる力は発生せず、レバー６の中立点となる。
【００４０】
さらに蓋体４を開方向に回動させると、突起１６からレバー６に作用する力は、４５°以下の場合の逆方向（図１０の矢印Ｆ方向）となり、蓋体４に開方向の回動力が作用するようになる。そして、図１に示すように、蓋体４が略９０°開いた状態となると、蓋体４がこの状態で保持される。
【００４１】
この状態から使用者が蓋体４を閉方向に回動させると、図９に示すレバー６の中立点を通過する際に使用者の手にクリック感が与えられる。
【００４２】
本実施形態のディスク装置は、従来例のように蓋体の回動軸に対して垂直な面に蓋体保持機構を設けるのではなく、ディスク状記録媒体の面と平行な面内に蓋体保持機構を設けて蓋体を二つの角度において保持することができるようにしている。そのため、装置の高さＨ２（図２参照）を低くすることができ、小型化を図ることができる。
【００４３】
また、従来例では、蓋体のロック機構を解除したときに蓋体が所定の小さい角度で開くようにするために専用の板バネを設けているのに対し、本実施形態ではレバー６を弾性を有する材料で形成し、蓋体４のロックを解除したときに蓋体４を開放する機能も持たせてあるため、部品点数を削減することができ、コストダウンを図ることができる。
【００４４】
以上、具体例をあげて本発明の一実施形態について説明したが、本発明は上記実施形態に限定されるものではなく、本発明の要旨を逸脱しない範囲で上記実施形態に種々の改変を施すことができる。
【図面の簡単な説明】
【００４５】
【図１】本発明の一実施形態であるディスク装置のディスクローディング機構の斜視図であり、蓋体が開位置にある状態を示す図。
【図２】本発明の一実施形態であるディスク装置のディスクローディング機構の斜視図であり、蓋体が閉位置にある状態を示す図。
【図３】本発明の一実施形態であるディスク装置のディスクローディング機構の斜視図であり、蓋体が閉位置と開位置の間の所定位置にある状態を示す図。
【図４】図１のディスク装置の後端側を裏面から見た斜視図。
【図５】図１のディスクローディング機構のレバーの作用の説明図。
【図６】図１のディスクローディング機構のレバーの作用の説明図。
【図７】図１のディスクローディング機構の後端側を裏面から見た斜視図であり、蓋体が閉位置にある状態を示す図。
【図８】図１のディスクローディング機構の後端側を裏面から見た斜視図であり、蓋体が閉位置と開位置の間の所定位置にある状態を示す図。
【図９】図１のディスクローディング機構の後端側を裏面から見た斜視図であり、蓋体が中立位置にある状態を示す図。
【図１０】図１のディスクローディング機構の後端側を裏面から見た斜視図であり、蓋体が開位置にある状態を示す図。
【図１１】従来のディスク装置のディスクローディング機構の一例を示す斜視図であり、蓋体が開位置にある状態を示す図。
【図１２】図１１のディスクローディング機構の蓋体が閉位置にある状態を示す斜視図。
【図１３】図１１のディスクローディング機構の蓋体が閉位置と開位置の間の所定位置にある状態を示す斜視図。
【図１４】図１１のディスクローディング機構の要部斜視図であり、蓋体が所定位置で保持された状態を示す図。
【図１５】図１４の分解斜視図。
【図１６】図１１のディスクローディング機構の要部斜視図であり、蓋体が開位置で保持された状態を示す図。
【図１７】図１６の分解斜視図。
【図１８】図１１のディスクローディング機構の要部斜視図であり、蓋体が閉位置で保持された状態を示す図。
【図１９】図１１のディスクローディング機構の要部斜視図であり、蓋体が所定位置で保持された状態を示す図。
【符号の説明】
【００４６】
１  シャーシ
２  スピンドル
４  蓋体
６  レバー（蓋体付勢手段）
７  回転軸
１５  スライド部材
１６  突起
１７  コイルバネ（スライド部材付勢手段）
【図１】
2007157299.tif 000003
【図２】
2007157299.tif 000004
【図３】
2007157299.tif 000005
【図４】
2007157299.tif 000006
【図５】
2007157299.tif 000007
【図６】
2007157299.tif 000008
【図７】
2007157299.tif 000009
【図８】
2007157299.tif 000010
【図９】
2007157299.tif 000011
【図１０】
2007157299.tif 000012
【図１１】
2007157299.tif 000013
【図１２】
2007157299.tif 000014
【図１３】
2007157299.tif 000015
【図１４】
2007157299.tif 000016
【図１５】
2007157299.tif 000017
【図１６】
2007157299.tif 000018
【図１７】
2007157299.tif 000019
【図１８】
2007157299.tif 000020
【図１９】
2007157299.tif 000021